(57)【要約】【課題】Ａ４、Ｂ５などの規格用紙を使用して封筒を成形して、同じ大きさの用紙を三つ折りにして収納可能とした封筒を成形できる封筒用紙を提案する。【解決手段】規格用紙の中央に、この規格用紙を長辺で三つ折りにした大きさより一回り大きい長方形枠を所定角度傾けて配置し、この長方形枠の角部から規格用紙の各辺に向かって、長方形枠の各辺の延長方向に切り取り線を設けた。そして、長方形枠の大きさは、長方形枠の短辺の長さを、規格用紙を長辺で三つ折りにしたときの長さより僅かに長くし、長辺の長さは、規格用紙の短辺の長さより僅かに長くした。また、長方形枠は、規格用紙の対角線の交点と長方形枠の対角線の交点とを一致させて配置すると共に、長方形枠の対角線が規格用紙の長辺と平行する角度に配置した。切り取り線は、長方形枠の角部から規格用紙の各辺に向かって、長方形枠の各辺となす角度が直角より僅かに小さい角度となるように設けた。【選択図】図１
0003169382.tif 000002
【実用新案登録請求の範囲】
【請求項１】
規格用紙の中央に、この規格用紙を長辺で三つ折りにした大きさより一回り大きくした大きさを有する長方形枠を所定の角度傾けて配置し、この長方形枠の四つの角部から規格用紙の各辺に向かって、長方形枠の各辺の延長方向に沿ってそれぞれ切り取り線を設けたことを特徴とする折り畳み封筒用紙。
【請求項２】
上記長方形枠の大きさは、長方形枠の短辺の長さを、規格用紙を長辺で三つ折りにしたときの長さより僅かに長くし、長方形枠の長辺の長さは、規格用紙の短辺の長さより僅かに長くしたものである請求項１記載の折り畳み封筒用紙。
【請求項３】
上記長方形枠は、上記規格用紙の対角線の交点と上記長方形枠の対角線の交点とを一致させて配置すると共に、上記長方形枠の対角線が上記規格用紙の長辺と平行するような角度に配置したものである請求項１または請求項２記載の折り畳み封筒用紙。
【請求項４】
上記切り取り線は、上記長方形枠の四つの角部から規格用紙の各辺に向かって、上記長方形枠の各辺となす角度が直角より僅かに小さい角度となるように設けたものである請求項１から請求項３のいずれか１項記載の折り畳み封筒用紙。
【請求項５】
上記切り取り線は、規格用紙の短辺とほぼ平行になるような角度に設けたものである請求項４記載の折り畳み封筒用紙。
【請求項６】
上記長方形枠及び切り取り線を、規格用紙にあらかじめ印刷して設けた請求項１から請求項５のいずれか１項記載の折り畳み封筒用紙。
【請求項７】
上記長方形枠は型押しにより設け、上記切り取り線はマイクロミシンによって切り離し可能に設けた請求項１から請求項５のいずれか１項記載の折り畳み封筒用紙。
【請求項８】
上記規格用紙の表面、又は／及び、裏面に、所望の模様又は文字列を印刷した請求項１から請求項７のいずれか１項記載の折り畳み封筒用紙。
【請求項９】
上記規格用紙が、Ａ４又はＢ５の大きさである請求項１から請求項８のいずれか１項記載の折り畳み封筒用紙。
【考案の詳細な説明】
【技術分野】
【０００１】
この考案は、手紙等を差し出す際、所定規格の大きさの単票の紙を折り畳み、成形することによって、当該単票と同じ大きさの用紙を三つ折りにしたものを収納可能とした折り畳み封筒用紙に関する。
【背景技術】
【０００２】
一般に、手紙を差し出す場合、便箋とこれを収納する封筒を個別に用意する必要がある。封筒には、あらかじめ規格のものが数種類用意されており、便箋の大きさに応じてそれを選択していた。
【０００３】
一方、近年、パソコンやプリンターが広く普及しており、パソコンソフトを使ってＡ４やＢ５などの規格用紙に文書を作成、印字し、それを郵送する場面も多い。このような場合、別途封筒を用意するのではなく、同じ規格用紙で封筒が作成できれば便利である。
【０００４】
そのような中、例えば特許文献１に示すような折り畳み封筒用紙が提案されている。
【先行技術文献】
【特許文献】
【０００５】
【特許文献１】実開平７−３３８５１号公報
【考案の概要】
【考案が解決しようとする課題】
【０００６】
この特許文献１に開示された封筒用紙は、一辺の長さが官製葉書の縦の長さの１．５倍程度の略正方形の封筒用紙の所定位置に官製はがき大の折り込み用の印を付け、これを適宜折り畳んで、官製葉書を収納できるようにしたものである。
【０００７】
しかしながら、これに示された封筒用紙は、主に通信販売用の案内書兼封筒用紙および申し込み葉書を備えた用紙に関するものであり、その用途は限定されていた。また、企業等によってあらかじめ印刷されたものであり、一般的ではなく、家庭等で気軽に作成、使用できるものではなかった。
【０００８】
本考案は、このような実情に鑑みてなされたものであり、一般家庭で容易に入手可能な規格用紙（Ａ４、Ｂ５など）を使用して封筒を成形するようにして、同じ大きさの用紙を三つ折りにして収納可能とした封筒を成形できる封筒用紙を提案するものである。
【課題を解決するための手段】
【０００９】
上記課題を解決するため、本考案は、規格用紙の中央に、この規格用紙を長辺で三つ折りにした大きさより一回り大きくした大きさを有する長方形枠を所定の角度傾けて配置し、この長方形枠の四つの角部から規格用紙の各辺に向かって、長方形枠の各辺の延長方向に沿ってそれぞれ切り取り線を設けるという手段を採用した。
【００１０】
かかる構成の封筒用紙は、長方形枠の各辺に沿って周囲を折り畳むことにより、封筒が成形される。このとき、長方形枠の大きさが封筒収納部の大きさとなる。
【００１１】
そして、上記長方形枠の大きさは、長方形枠の短辺の長さを、規格用紙を長辺で三つ折りにしたときの長さより僅かに長くし、長方形枠の長辺の長さは、規格用紙の短辺の長さより僅かに長くするという手段を採用した。
【００１２】
これにより、規格用紙を三つ折りにした状態で、封筒に収納できる。
【００１３】
また、具体的に、上記長方形枠は、上記規格用紙の対角線の交点と上記長方形枠の対角線の交点とを一致させて配置すると共に、上記長方形枠の対角線が上記規格用紙の長辺と平行するような角度に配置するという手段を採用した。
【００１４】
規格用紙と長方形枠の対角線の交点が一致するので、回転対称位置に配置され、長方形枠の各辺に沿って周囲を折り畳んだとき、互いに平行に折り重ねることができる。
【００１５】
一方、上記切り取り線は、上記長方形枠の四つの角部から規格用紙の各辺に向かって、上記長方形枠の各辺となす角度が直角より僅かに小さい角度となるように設けるという手段を採用した。
【００１６】
また、上記切り取り線は、規格用紙の短辺とほぼ平行になるような角度に設けるという手段も採用した。
【００１７】
これにより、封筒を成形するために折り畳む折り畳み片が互いに干渉しないので、美麗な封筒となる。また、一部の切り取り線を規格用紙の短辺とほぼ平行になるような角度に設けることで、折り畳み片の形状がより美麗となる。
【００１８】
そして、上記長方形枠及び切り取り線を、規格用紙にあらかじめ印刷して設けるという手段を採用した。
【００１９】
これにより、利用者はその長方形枠や切り取り線を目印として封筒をきわめて容易に成形できる。
【００２０】
または、上記長方形枠は型押しにより設け、上記切り取り線はマイクロミシンによって切り離し可能に設けるという手段を採用した。
【００２１】
長方形枠や切り取り線を印刷する必要はなく、目印として設ければよい。また、マイクロミシンにより設ければ、切り離しが容易である。
【００２２】
さらに、上記規格用紙の表面、又は／及び、裏面に、所望の模様又は文字列を印刷するという手段を採用した。
【００２３】
表面に設けた場合には、封筒の装飾的効果が期待でき、裏面に設ける場合には、地紋として、内容物を透けさせない効果が期待できる。
【００２４】
そして、上記規格用紙が、Ａ４又はＢ５の大きさであるという手段を採用した。
【００２５】
一般的に使用されている大きさの用紙で封筒を形成することで、実用性が高まるものである。
【考案の効果】
【００２６】
上記構成に係る本考案の折り畳み封筒用紙は、規格用紙に設けられる切り取り線に沿って余分な紙片を切り取り、次いで、長方形枠に沿って折り畳むだけで封筒を成形できる。そして、その大きさは、同じ規格用紙を三つ折りにした状態で、余裕を持って収納できる大きさとなる。したがって、別途封筒を用意することなく、規格用紙のみで、文書も封筒も作成できるので、きわめて実用的で優れた考案である。
【００２７】
そして、目印となる長方形枠を、規格用紙の対角線の交点に配置しているので、形成される折り畳み片が回転対称となり、これを折り畳んだときには、重なり部分が互いに平行に重なることとなり、美麗な封筒を形成できる。
【００２８】
また、切り取り線を長方形枠の各辺の延長方向に対して所定の角度を付けて設けたので、折り畳み片を折り畳んだときに、互いに干渉することがなく美麗に仕上げることができる。
【００２９】
また、長方形枠や切り込み線は、あらかじめ、印刷や型押し、マイクロミシン等によって設けているので、それを目印として極めて簡単に封筒を成形できる。マイクロミシンによって設けた場合には、はさみ等の道具を使用せずに切り離すことができ、より簡単に封筒を成形できる。
【００３０】
さらに、おもて面に所望の模様等を印刷することができ、装飾的な効果が期待できる。一方、裏面に模様等を印刷した場合には、地紋として、内容物を透けて見えないようにするという効果が期待できる。
【００３１】
そして、この封筒をＡ４又はＢ５の用紙で成形すれば、各企業や学校、家庭などで広く一般的に使用されている規格用紙であるので、汎用性が高く経済的であり、実用性の高いものとなる。
【図面の簡単な説明】
【００３２】
【図１】本考案に係る折り畳み封筒用紙の平面図である。
【図２】折り畳み封筒用紙の幾何学的説明図である。
【図３】余分な紙片を切り離した状態の展開平面図である。
【図４】封筒の成形の過程を示す説明図である。
【図５】封筒の使用状態の説明図で、（Ａ）は用紙の封入時、（Ｂ）は封緘後を示すものである。
【図６】折り畳み封筒用紙に模様等を施した実施形態を示す平面図である。
【図７】（Ａ）は切り取り線の別の実施形態を示す折り畳み封筒用紙の平面図で、（Ｂ）は封緘後の使用状態を示すものである。
【考案を実施するための形態】
【００３３】
以下、本考案に係る折り畳み封筒用紙の好ましい実施形態を、添付した図面に従って説明する。なお、本実施形態ではＡ４用紙を例にとって説明するが、これに限定するものではなく、Ａ版、Ｂ版の各規格用紙に応用できるものである。ただし、Ａ４またはＢ５の用紙を使用した場合が最も実用的で経済的であり、さらに、完成した封筒は、ほぼ定形郵便物の大きさの範囲内に収まるので、郵便料金が安価となる。
【００３４】
図１は、Ａ４（縦２９７ｍｍ×横２１０ｍｍ）の大きさの用紙１を示し、この用紙１の中央に実線で示す長方形枠２を所定の角度、斜めに配置したものである。この長方形枠２の大きさは、同じＡ４用紙を長辺で三つ折りにした大きさ（縦２１０ｍｍ×横９９ｍｍ）の用紙Ｐ（仮想点線で示している。）より一回り大きくした大きさである。つまり、この長方形枠２の短辺の長さを、用紙１（Ａ４）を長辺で三つ折りにした場合の長さより僅かに長くし、長方形枠２の長辺の長さは、用紙１（Ａ４）の短辺の長さより僅かに長くしている。そして、後述するように、この長方形枠２が封筒の収納部の大きさとなり、その各辺が折り線２ａ、２ｂ、２ｃ、２ｄとなる。
【００３５】
さらに、この長方形枠２の各角部から用紙１の各辺に向かって、破線で示す切り取り線３、３・・・を配置している。各切り取り線３、３・・・の方向は、基本的には上記長方形枠２の各辺（折り線）２ａ、２ｂ、２ｃ、２ｄを延長した方向に沿って設けるが、必ずしも直角方向に設ける必要はなく、実際には、各辺となす角度αを直角より僅かに小さい角度とすることが好ましい。これは、後述するように、封筒を成形するために折り畳む折り畳み片が互いに干渉しないようにするためである。
【００３６】
図２は、上記長方形枠２及び切り取り線３のより好ましい配置を幾何学的に説明するものである。図において、Ｇは上記用紙１の２本の対角線１ａ、１ｂ（一点鎖線で示している。）が交差する点を示している。そして、この交点Ｇと長方形枠２の交点（対角線２ｅ、２ｆが交差する点）を一致させて長方形枠２を配置する。このとき、長方形枠２の一方の対角線２ｅ（一点鎖線で示している。）が用紙１の長辺１ｃ、１ｄと平行となるような角度に配置する。
【００３７】
このように用紙１と長方形枠２の対角線の交点Ｇを一致させて配置するのは、後述するように、形成される各折り畳み片が対角線の交点Ｇを中心に回転対称図形となるからである。これにより、折り畳んだときの重なり辺が互いに平行に重なり、均整のとれた美しい封筒を成形することができる。
【００３８】
次に、図２において、長方形枠２の各辺２ａ、２ｂ、２ｃ、２ｄの延長線を一点鎖線で図示しているが、長方形枠２の各角部を出発点とする切り取り線３、３・・・は、この延長線より僅かに内側に傾けて、即ち、長方形枠２の各辺２ａ、２ｂ、２ｃ、２ｄとなす角度αが直角より僅かに小さい角度となるようにして設けている。
【００３９】
なお、本考案に係る折り畳み封筒用紙は、基本的には、上記長方形枠２（折り線２ａ、２ｂ、２ｃ、２ｄ）および切り取り線３、３・・・を、規格用紙にあらかじめ印刷して設けておくものである。ただし、この長方形枠２及び切り取り線３は、封筒成形のための折り畳みまたは切り取りの目安となるものに過ぎないので、その表示の仕方は自由であり、特に限定するものではない。即ち、例えば、用紙に対し、目立たないように極細の実線または点線等できわめて薄く印刷してもよいし、長方形枠２については、四隅のみを点状または鈎状に表示して目印としてもよい。さらに、印刷せずに、長方形枠２については、折り線として型押しで設け、切り取り線についてはマイクロミシンで切り取り可能に設けることもできる。要するに、折り畳み位置と、切り取り位置が明確になればよいのである。
【００４０】
次に、図３は、上述した用紙１において、切り取り線を介して余分な紙片を切り離した後の、封筒用紙の展開図を示している。この余分な紙片は、ハサミ、カッターなどで切り離してもよいし、マイクロミシンを施している場合には、それに沿って簡単に切り離すことができる。この展開図は、長方形枠２の周囲に、折り畳み片４ａ、４ｂ、４ｃ、４ｄが連設された形状であり、対向する折り畳み片４ａと４ｃ、４ｂと４ｄは、それぞれ互いに回転対称となっている。なお、仮にこの面をおもて面とする。
【００４１】
続いて、この用紙を用いて封筒を成形する手順を図４、図５に従って説明する。図４の（Ａ）から（Ｄ）で明らかなように、用紙を裏返し、各折り畳み片４ａ、４ｂ、４ｃ、４ｄを折り線２ａ、２ｂ、２ｃ、２ｄにそって折り返せばよい。先ず、（Ａ）、（Ｂ）に示すように、小さい方の折り畳み片４ａと４ｃをそれぞれ内側に折り畳み、次に、（Ｃ）に示すように、大きい方の折り畳み片の一方４ｄを折り線２ｄで折り畳む。そして、折り重なった各折り畳み片４ａ、４ｃ、４ｄを、糊、テープ、シール５などで貼り合わせる。このとき、切り取り線３と折り線２ａ、２ｂ、２ｃ、２ｄがなす角度αを直角より僅かに小さくしているので、折り線２ｄの部分で、折り畳み片４ａ、４ｃが折り畳み片４ｄと干渉することがない。この（Ｃ）の状態で、開封状態の横長の封筒が成形される。また、折り畳み片４ｂを折り畳むと、折り畳み片４ｂと折り畳み片４ｄは互いに重なり、図４（Ｄ）に示すように、糊代が形成され、封緘が容易となる。
【００４２】
また、図５（Ａ）には、同じ大きさの規格用紙を三つ折りにした大きさの用紙Ｐを収納する状態を図示している。上述したように、あらかじめ設定した長方形枠２の大きさが、規格用紙を三つ折りにした大きさの用紙Ｐの大きさより一回り大きくなっているので、用紙Ｐは余裕を持って収納できる。もちろん、他の用紙、例えばＬ版の写真なども収納可能である。そして、図５（Ｂ）のように封緘すれば、封書として郵送することができる。
【００４３】
図６は、本考案に係る折り畳み封筒用紙の別の実施形態を示すものである。即ち、用紙の全面に所望の模様または文字列（以下、模様等という。）を印刷したものである。図では千鳥格子を印刷した例を示している。この模様等６は、封筒の内側面に印刷すれば地紋として、内容物が外から透けて見えることを防止する効果が期待できる。一方、封筒の外側面に印刷すれば、封筒の地模様として装飾効果が期待できる。なお、これらの模様等６は、上記長方形枠２及び切り取り線３と共に、あらかじめ印刷しておいてもよく、または、Ａ４等の規格用紙であるので、利用者が後からプリンター等で自由に印刷することも可能である。これにより、この封筒用紙の実用性を高めることができる。
【００４４】
また、図７は、切り取り線３に関する別の実施形態を示すものである。同図（Ａ）において、切り取り線３の一部については、上述の図１、２に示した長方形枠２の各辺のうち長辺となす角度が直角より僅かに小さい角度αとなるように設けたものに代えて、規格用紙１の短辺１ｅ、１ｆとほぼ平行になるような角度に設けている。この切り取り線３で余分な紙片を切り離した場合には、同図（Ｂ）に示すような形状の折り畳み片４ｂとなり、美麗ですっきりした印象を使用者に与える。また、この切り取り線３に関しては、図示したように、一方の折り畳み片４ｂのみに適用してもよいし、折り畳み片４ｂ、４ｄ（破線で示す）の両方に適用してもよい。
【００４５】
なお、切り取り線３を設ける角度（方向）については、上記各実施形態に示したものに限定されるものではなく、形成される折り畳み片の形状が実用性のある範囲において、それぞれについて任意の角度に設定できるものである。
【符号の説明】
【００４６】
１  用紙
２  長方形枠
２ａ、２ｂ、２ｃ、２ｄ  折り線
３  切り取り線
４ａ、４ｂ、４ｃ、４ｄ  折り畳み片
５  シール
６  模様等
【図１】
0003169382.tif 000003
【図２】
0003169382.tif 000004
【図３】
0003169382.tif 000005
【図４】
0003169382.tif 000006
【図５】
0003169382.tif 000007
【図６】
0003169382.tif 000008
【図７】
0003169382.tif 000009